(57)【特許請求の範囲】
【請求項１】
マクロ基地局、および前記マクロ基地局によって形成されるマクロセルに重なるフェムトセルを形成するフェムト基地局と無線通信可能な移動無線端末装置において、
互いにセルが重なるマクロ基地局とフェムト基地局の両識別情報を対応付けて記憶する記憶手段と、
受信信号の受信電力レベルを検出する検出手段と、
前記記憶手段が識別情報を記憶するマクロ基地局から送信される無線信号の受信電力レベルが、予め設定した条件を満たす場合に、前記マクロ基地局に識別情報が対応付けられたフェムト基地局を探索する探索手段と
を具備し、
前記探索手段は、前記記憶手段が識別情報を記憶するマクロ基地局から送信される無線信号の受信電力レベルが、予め設定した条件を満たし、かつ、データ通信が開始されている場合に、前記マクロ基地局に識別情報が対応付けられたフェムト基地局を探索することを特徴とする移動無線端末装置。
【請求項２】
前記記憶手段は、互いにセルが重なるマクロ基地局とフェムト基地局の両識別情報と、前記フェムト基地局と通信した際に、無線信号が受信可能な前記マクロ基地局以外の隣接マクロ基地局の識別情報を対応付けて記憶し、
前記探索手段は、前記記憶手段が識別情報を記憶するマクロ基地局から送信される無線信号の受信電力レベルが、予め設定した条件を満たし、かつ、前記隣接マクロ基地局からの無線信号が受信可能な場合に、前記マクロ基地局に識別情報が対応付けられたフェムト基地局を探索する
ことを特徴とする請求項１に記載の移動無線端末装置。
【請求項３】
前記探索手段は、前記記憶手段が識別情報を記憶するマクロ基地局から送信される無線信号の受信電力レベルが、予め設定した閾値レベルを超えて変化する場合に、前記マクロ基地局に識別情報が対応付けられたフェムト基地局を探索する
ことを特徴とする請求項１又は２に記載の移動無線端末装置。
【請求項４】
前記探索手段は、前記記憶手段が識別情報を記憶するマクロ基地局から送信される無線信号の受信電力レベルが、予め設定した閾値レベルに基づく範囲内で変化する場合に、前記マクロ基地局に識別情報が対応付けられたフェムト基地局を探索する
ことを特徴とする請求項１又は２に記載の移動無線端末装置。
【請求項５】
前記閾値レベルは、過去に前記フェムト基地局と通信した際に、前記検出手段が前記マクロセルからの受信信号から検出した受信電力レベルに基づく値である
ことを特徴とする請求項３または請求項４に記載の移動無線端末装置。
【請求項６】
マクロ基地局、および前記マクロ基地局によって形成されるマクロセルに重なるフェムトセルを形成するフェムト基地局と無線通信可能な移動無線端末装置において、
前記フェムトセルに重なるマクロセルを形成する複数のマクロ基地局の識別情報を対応付けて記憶する記憶手段と、
受信信号の受信電力レベルを検出する検出手段と、
前記記憶手段において対応付けられた複数のマクロ基地局からの無線信号が受信できる場合に、前記フェムト基地局を探索する探索手段と
を具備し、
前記記憶手段は、フェムト基地局と通信した際に、前記フェムトセルに重なるマクロセルを形成する複数のマクロ基地局からそれぞれ受信した無線信号の受信レベルを前記識別情報に対応付けて記憶し、
前記探索手段は、前記記憶手段において対応付けられた複数のマクロ基地局から、それぞれ前記記憶手段に記憶される受信レベルに基づく条件を満たす無線信号が受信でき、かつ、データ通信が開始されている場合に、前記フェムト基地局を探索する
ことを特徴とする移動無線端末装置。
【発明の詳細な説明】
【技術分野】
【０００１】
この発明の実施形態は、例えば携帯電話機などの移動無線端末装置に関する。
【背景技術】
【０００２】
周知のように、無線アクセススキームとしてOFDMA(Orthogonal Frequency Division Multiple Access）が使用される次世代移動無線通信システムは、移動通信技術の標準化団体である3GPP(3rd Generation Partnership Project)によって標準化が進められている。
【０００３】
また、次世代移動無線通信システムでは、広範囲をカバーするマクロセルに加えて、家庭やオフィス、さらにはレストランなどの数十メートルの小ゾーンのエリアをカバーする小セル（フェムトセル: Femto Cell）基地局装置の設置が考えられている。フェムトセルの設置により、シャドーイング等による圏外ポイントや、屋内等電波の遮断される環境に対するカバーや、イベント会場や駅等のトラヒックが集中するエリアにおけるサービスの補完が可能となる。
【０００４】
またフェムトセルHGW(Home GateWay)、またはCSG（Closed Service Group）セルといわれるフェムトセルは、特定のユーザが使用できるように屋内に設置されるものである。この種のフェムトセルを利用可能な端末装置は、そのカバーエリアに入った場合、マクロセルからの電波が受信できたとしても、フェムトセルに優先して接続することが望まれる。
【０００５】
しかしながら、フェムトセルのカバーエリアは、マクロセルのカバーエリアに比べて非常に小さい。このため、端末装置は、フェムトセルに優先的に接続するために、サーチ動作を繰り返し、消費電力の増加を招くという問題が生じる。
【先行技術文献】
【特許文献】
【０００６】
【特許文献１】特開２００８−２７８２６４号公報
【発明の概要】
【発明が解決しようとする課題】
【０００７】
従来の移動無線端末装置では、優先的にフェムトセルに接続するために、サーチ動作を繰り返すと、消費電力の増加を招くという問題があった。  
この問題を解決することを課題とし、効率的にフェムトセルを検出することが可能な移動無線端末装置を提供する。
【課題を解決するための手段】
【０００８】
実施形態によれば、マクロ基地局、および前記マクロ基地局によって形成されるマクロセルに重なるフェムトセルを形成するフェムト基地局と無線通信可能な移動無線端末装置において、互いにセルが重なるマクロ基地局とフェムト基地局の両識別情報を対応付けて記憶する記憶手段と、受信信号の受信電力レベルを検出する検出手段と、記憶手段が識別情報を記憶するマクロ基地局から送信される無線信号の受信電力レベルが、予め設定した条件を満たす場合に、マクロ基地局に識別情報が対応付けられたフェムト基地局を探索する探索手段とを具備し、前記探索手段は、前記記憶手段が識別情報を記憶するマクロ基地局から送信される無線信号の受信電力レベルが、予め設定した条件を満たし、かつ、データ通信が開始されている場合に、前記マクロ基地局に識別情報が対応付けられたフェムト基地局を探索するようにした。
【図面の簡単な説明】
【０００９】
【図１】実施形態に係わる携帯電話機の構成を示す回路ブロック図。
【図２】図１に示した携帯電話機の受信系の構成を示す回路ブロック図。
【図３】図２に示したフェムトセルサーチトリガ情報記憶部が記憶する情報の一例を示す図。
【図４】実施形態に係わる携帯電話機の動作を説明するためのフローチャート。
【図５】マクロセルとフェムトセルの配置を例示した図。
【発明を実施するための形態】
【００１０】
以下、図面を参照して、この発明の一実施形態について説明する。  
図１は、実施形態に係わる携帯電話機の構成を示すブロック図である。この携帯電話機は、図１に示すように、主な構成要素として、主制御部１００と、無線通信部１０と、表示部２０と、通話部３０と、操作部４０と、記憶部５０とを備え、マクロセルを形成する基地局装置BSおよび移動通信網MNWを介した通信と、フェムトセルを形成するアクセスポイントAPおよびインターネットなどの公衆網PNWを介した通信を行う機能を備える。
【００１１】
無線通信部１０は、主制御部１００からの指示にしたがって、例えばOFDM(Orthogonal Frequency Division Multiplexing)方式による無線通信を基地局装置BSあるいはアクセスポイントAPとの間で行うものであって、これにより、音声データや電子メールデータなどの送受信、Ｗｅｂデータやストリーミングデータなどの受信を行う。
【００１２】
表示部２０は、主制御部１００の制御により、画像（静止画像および動画像）や文字情報などを表示して、視覚的にユーザに情報を伝達するものであり、当該携帯電話機の設定状態を示す情報なども表示する。
【００１３】
通話部３０は、スピーカ３１やマイクロホン３２を備え、マイクロホン３２を通じて入力されたユーザの音声を主制御部１００にて処理可能な音声データに変換して主制御部１００に出力したり、無線通信部１０により受信された音声データを復号してスピーカ３１から出力するものである。  
操作部４０は、複数のキースイッチなどを備え、これを通じてユーザから指示を受け付けるものである。
【００１４】
記憶部５０は、主制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。なお、記憶部５０は、ＨＤＤ、ＲＡＭ、ＲＯＭ、ＩＣメモリなどの１つまたは複数の記憶手段を含むものである。
【００１５】
主制御部１００は、マイクロプロセッサを備え、記憶部５０が記憶する制御プログラムにしたがって動作し、当該携帯電話機の各部を統括して制御するものであって、無線通信部１０を通じて、音声通信やデータ通信を行うために、通信系の各部を制御するネットワーク通信制御機能と、アプリケーション処理機能と、フェムトセルサーチ機能とを備える。
【００１６】
アプリケーション処理機能は、記憶部５０が記憶するアプリケーションソフトウェアにしたがって主制御部１００が動作することにより、例えば、電子メールの送受信や、Ｗｅｂブラウジング、図示しないデジタルカメラによる撮影、赤外線やBluetooth（登録商標）などの近距離無線通信を行う。
【００１７】
また、主制御部１００は、受信データやダウンロードしたストリーミングデータなどの画像データ（静止画像や動画像のデータ）に基づいて、映像を表示部２０に表示したりする画像処理機能を備える。この画像処理機能は、主制御部１００が、上記画像データを復号し、この復号結果に画像処理を施して、画像を表示部２０に表示する。
【００１８】
次に、図２を参照して、上記フェムトセルサーチ機能について説明する。  
図２は、フェムトセルのサーチ、すなわちアクセスポイントAPの探索に関わる構成を中心に示したものである。
【００１９】
無線通信部１０は、無線部１１と、復調部１２と、レート変換部１３と、復号部１４と、RSSI（Received Signal Strength Indicator）測定部１５とを備える。なお、図２において無線通信部１０については、受信系の構成のみを示すが、受信データからOFDM変調信号を生成するための送信系の構成を備える。
【００２０】
また、主制御部１００は、誤り訂正処理部１０１と、受信データ処理部１０２と、セルID検出部１０３と、フェムトセルサーチ制御部１０４と、データ通信検知部１０５と、リセレクション・ハンドオーバ制御部１０６とを備える。  
そして、記憶部５０は、フェムトセルサーチトリガ情報記憶部５１を備える。
【００２１】
無線部１１は、主制御部１００から指示される周波数について、基地局装置BSもしくはアクセスポイントAPから送信された無線信号をダウンコンバートしてベースバンド信号を得る。
【００２２】
復調部１２は、上記ベースバンド信号をOFDM復調するものであって、具体的には、直交検波、Ａ／Ｄ変換、二次復調（高速フーリエ変換）、一次復調（QPSK、16QAMなどの復調）などを行う。
【００２３】
レート変換部１３は、復調部１２の復調結果に対して、符号化率にしたがって、レート変換（デパンクチャリングなど）を行う。  
復号部１４は、レート変換部１３の変換結果を復号する。
【００２４】
RSSI測定部１５は、主制御部１００からの指示にしたがって、上記ベースバンド信号から、受信電力レベルを測定し、測定結果を主制御部１００に出力する。RSSI測定部１５によるRSSI測定は、予め設定した周期で繰り返し実行される。
【００２５】
誤り訂正処理部１０１は、復号部１４の復号結果から誤りを検出し、必要に応じて誤り訂正処理を施し、受信データを得る。  
受信データ処理部１０２は、誤り訂正処理部１０１にて得られた受信データに対して、フレーム構成を識別する。
【００２６】
セルID検出部１０３は、受信データ処理部１０２の処理結果から、当該携帯電話機が受信している無線信号の送信元となる基地局装置BSあるいはアクセスポイントAPが属するセルのID（以下、セルIDと称する）を検出する。
【００２７】
フェムトセルサーチ制御部１０４は、セルID検出部１０３が検出したセルIDに対応付けられたフェムトセルサーチトリガ情報をフェムトセルサーチトリガ情報記憶部５１から読み出し、この情報にしたがって無線通信部１０を制御し、フェムトセル（フェムトHGW）の探索を行う。また所定の条件を満たすと、リセレクション・ハンドオーバ制御部１０６を制御し、セルのリセレクションおよびハンドオーバを実行させる。
【００２８】
なお、フェムトセルサーチトリガ情報は、過去の着信待ち受け時に生成されたデータであって、図３に例示するように、フェムトセルサーチトリガ情報TD1〜TDnとして、マクロセルIDに、そのカバーエリア内に存在するフェムトセルのID（以下、フェムトセルIDと称する）、上記フェムトセルの中心周波数の情報（以下、中心周波数情報と称する）、上記フェムトセルの同期タイミングを示す情報（以下、同期タイミング情報と称する）、上記フェムトセルを離脱する時に測定されたマクロセルのRSSIを示すRSSI情報、および上記フェムトセルの利用時に当該携帯電話機が受信可能なリファレンス信号を送信する他のマクロセル（以下、隣接マクロセルと称する）のID（以下、隣接セルIDと称する）などを対応付けた情報である。
【００２９】
以下の説明では、RSSI情報として、上述のように、フェムトセルを離脱する時に測定されたマクロセルのRSSIを用いるものとして説明するが、これに限定されるものではなく、フェムトセルに接続する際に測定したマクロセルのRSSIや、フェムトセルに接続している間に測定したマクロセルのRSSIを用いるようにしてもよい。
【００３０】
データ通信検知部１０５は、図示しない送信系を監視し、データ通信が行われているか否かを判定する。  
リセレクション・ハンドオーバ制御部１０６は、フェムトセルサーチ制御部１０４からの指示に従って、セルのリセレクションおよびハンドオーバを実行する。
【００３１】
次に、図４を参照して、上記構成の移動無線端末装置の動作について説明する。図４は、基地局装置BSを通じてこの基地局装置BSが属するマクロセルに位置登録を行い、着信待ち受けを行っている場合に、フェムトセルサーチ制御部１０４によって実行される処理であって、電源が切られるまで繰り返し実行される。なお、その制御プログラムや制御データは、記憶部５０に記憶され、主制御部１００が上記制御プログラムや制御データにしたがって動作することにより、フェムトセルサーチ制御部１０４が実現される。
【００３２】
また着信待ち受けとは、実質的なデータ通信は行っていないが、マクロセルから着信を報知するページング信号を周期的に受信している状態である。マクロセルの検出は、マクロセルから送信される同期信号を受信することで、使用周波数と同期タイミングを検出し、さらに、受信した同期信号と、予め準備した多数のマクロセルのIDパターンとの相関を求めることにより行う。
【００３３】
まず、ステップ４ａにおいてフェムトセルサーチ制御部１０４は、セルID検出部１０３から、着信待ち受けに用いているマクロセルのセルIDを取得し、このセルIDを含むフェムトセルサーチトリガ情報をフェムトセルサーチトリガ情報記憶部５１を読み出す。そして、この読み出したフェムトセルサーチトリガ情報に、フェムトセルIDが含まれるか否かを判定する。
【００３４】
すなわち、着信待ち受けに用いているマクロセル内に、当該携帯電話機が利用可能なフェムトセルが存在するか否かを、フェムトセルサーチトリガ情報記憶部５１が記憶するフェムトセルサーチトリガ情報から判断する。ここで、フェムトセルが設定されるマクロセルのセルIDの場合には、ステップ４ｃに移行し、一方、フェムトセルが設定されないマクロセルのセルIDの場合には、ステップ４ｂに移行する。
【００３５】
ステップ４ｂにおいてフェムトセルサーチ制御部１０４は、主制御部１００の制御によって、着信待ち受けに用いているマクロセルに変更が生じたか否かを判定する。ここで、着信待ち受けに用いているマクロセルが変更された場合には、ステップ４ａに移行し、一方、変更が生じない場合には、再びステップ４ｂにて監視を継続する。
【００３６】
なお、着信待ち受けに用いるマクロセルの変更は、例えばRSSI測定部１５の測定結果などに基づいて、現在着信待ち受けに用いているマクロセルよりも、他のマクロセルの方が良好な通信環境にあると判断した場合に、主制御部１００によって為される。これは、周知のハンドオーバ技術によって実現できる。
【００３７】
ステップ４ｃにおいてフェムトセルサーチ制御部１０４は、ステップ４ａで読み出したフェムトセルサーチトリガ情報に、隣接セルIDが含まれるか否かを判定する。  
すなわち、着信待ち受けに用いているマクロセル内に存在するフェムトセルの利用時に、当該携帯電話機が受信可能なリファレンス信号を送信する隣接マクロセルが存在するか否かを、フェムトセルサーチトリガ情報記憶部５１が記憶するフェムトセルサーチトリガ情報に、隣接セルIDが含まれるか否かで判断する。ここで、セルIDに隣接マクロセルが設定される場合には、ステップ４ｇに移行し、一方、セルIDに隣接マクロセルが設定されない場合には、ステップ４ｄに移行する。
【００３８】
ステップ４ｄにおいてフェムトセルサーチ制御部１０４は、ステップ４ａで読み出したフェムトセルサーチトリガ情報に含まれるRSSI情報に基づいて、RSSI判定値を決定し、ステップ４ｅに移行する。なお、RSSI判定値として、RSSI情報をそのまま利用してもよい。
【００３９】
ステップ４ｅにおいてフェムトセルサーチ制御部１０４は、RSSI測定部１５によって時間的に連続して測定された複数の測定結果を取得し、ステップ４ｆに移行する。  
ステップ４ｆにおいてフェムトセルサーチ制御部１０４は、ステップ４ｅで取得した複数の測定結果が、ステップ４ｄで決定したRSSI判定値を超えて変化したか否かを判定する。すなわち、ステップ４ｅで取得した複数の測定結果が、ステップ４ｄで決定したRSSI判定値を下から上へ、あるいは上から下へ、横断して変化したか否かを判定する。ここで、RSSI判定値を超えて変化した場合には、ステップ４ｋに移行し、一方、変化しない場合には、ステップ４ｅに移行して、次の連続するサンプルについて判定を行う。
【００４０】
これにより、当該携帯電話機が、フェムトセルのカバーエリアに居る可能性が高いか否かを判定できる。なぜなら、フェムトセルのカバーエリアに居る可能性が高い場合には、RSSIの測定結果が、過去にフェムトセルから離脱した際に測定したRSSI情報に基づくRSSI判定値を境に変動する可能性が高いからである。
【００４１】
ここで、図５の例を参照して説明する。この例では、例えば、ユーザの帰宅などにより、携帯電話機MS1が、自宅に設置されたアクセスポイントAP1が形成するフェムトセルFC1内に移動してきたものとする。なお、アクセスポイントAP1は、基地局装置BS1が形成するマクロセルMC1内に設置され、他の基地局装置BS2からの無線信号は受信できないものとする。
【００４２】
携帯電話機MS1は、マクロセルMC1内に居ることを検出し、マクロセルMC1のセルIDに対応付けられたフェムトセルサーチトリガ情報を参照し、この情報に、フェムトセルFC1が設定され（ステップ４ａでYes）、そして、隣接セルIDが設定されない（ステップ４ｃでNo）ことを検出する。
【００４３】
そして、過去に、フェムトセルFC1から離脱した際に測定したRSSI情報に基づくRSSI判定値を取得し（ステップ４ｄ）、このRSSI判定値を境に、現在のRSSIの測定結果が変動することを検出する（ステップ４ｅ、４ｆ）。これにより、携帯電話機MS1は、基地局装置BS1を中心に、基地局装置BS1とアクセスポイントAP1との距離を半径とする同心円上に居ることが確認されたことになり、再びフェムトセルFC1内に居る可能性が高い。
【００４４】
これに対して、携帯電話機MS0は、マクロセルMC1内に居ることを検出し、マクロセルMC1のセルIDに対応付けられたフェムトセルサーチトリガ情報を参照し、この情報に、フェムトセルFC1が設定され（ステップ４ａでYes）、隣接セルIDが設定されない（ステップ４ｃでNo）ことを検出する。
【００４５】
同様に、過去に、フェムトセルFC1から離脱した際に測定したRSSI情報に基づくRSSI判定値を取得する（ステップ４ｄ）が、このRSSI判定値を境に、現在のRSSIの測定結果が変動しないことを検出する（ステップ４ｅ、４ｆ）。つまり、携帯電話機MS1は、上記同心円上に居ないことが確認されたことになり、まだフェムトセルFC1内に移動して居ない可能性が高い。
【００４６】
なお、上述では、測定結果がRSSI判定値を超えて変化したか否かで判定するものとして説明したが、これに代わって、もしくはこれに加えて、例えば、複数の測定結果がRSSI判定値を基準とする所定の範囲内で推移するか否かを判定し、所定の範囲内で推移する場合に、ステップ４ｋに移行し、一方、推移しない場合には、ステップ４ｅに移行するようにしてもよい。
【００４７】
ステップ４ｇにおいてフェムトセルサーチ制御部１０４は、ステップ４ａで読み出したフェムトセルサーチトリガ情報に含まれるRSSI情報に基づいて、RSSI判定値を決定し、ステップ４ｈに移行する。なお、RSSI判定値として、RSSI情報をそのまま利用してもよい。
【００４８】
ステップ４ｈにおいてフェムトセルサーチ制御部１０４は、RSSI測定部１５によって時間的に連続して測定された複数の測定結果を取得し、ステップ４ｉに移行する。  
ステップ４ｉにおいてフェムトセルサーチ制御部１０４は、ステップ４ｈで取得した複数の測定結果が、ステップ４ｇで決定したRSSI判定値を超えて変化したか否かを判定する。この判定は、ステップ４ｆと同様に、ステップ４ｅで取得した複数の測定結果が、ステップ４ｄで決定したRSSI判定値を下から上へ、あるいは上から下へ、横断して変化したか否かを判定する。ここで、RSSI判定値を超えて変化した場合には、ステップ４ｊに移行し、一方、変化しない場合には、ステップ４ｈに移行して、次の連続するサンプルについて判定を行う。
【００４９】
なお、ステップ４ｆと同様に、上述の判定に代わって、もしくはこの判定に加えて、例えば、複数の測定結果がRSSI判定値を基準とする所定の範囲内で推移するか否かを判定し、所定の範囲内で推移する場合に、ステップ４ｊに移行し、一方、推移しない場合には、ステップ４ｈに移行するようにしてもよい。
【００５０】
ステップ４ｊにおいてフェムトセルサーチ制御部１０４は、無線通信部１０を制御して、ステップ４ａで読み出したフェムトセルサーチトリガ情報に含まれる隣接セルIDのマクロセルから、上記隣接セルIDが受信できるか試みる。ここで、隣接セルIDが受信できた場合には、ステップ４ｋに移行し、一方、受信できない場合には、ステップ４ｈに移行して、次の連続するサンプルについて判定を行う。
【００５１】
これにより、当該携帯電話機が、フェムトセルのカバーエリアに居る可能性が高いか否かを判定できる。なぜなら、フェムトセルのカバーエリアに居る可能性が高い場合には、過去において、上記隣接セルIDが受信できたからである。
【００５２】
ここで、図５の例を参照して説明する。この例では、例えば、ユーザの帰宅などにより、携帯電話機MS2が、ユーザ宅に設置されたアクセスポイントAP2が形成するフェムトセルFC2内に移動してきたものとする。なお、アクセスポイントAP2は、基地局装置BS1が形成するマクロセルMC1と、基地局装置BS2が形成するマクロセルMC2との境界付近に設置され、基地局装置BS1と基地局装置BS2の両方から無線信号が受信可能であるものとする。言い換えれば、マクロセルMC1とマクロセルMC2が重なる領域に、フェムトセルFC2が形成されているものとする。
【００５３】
携帯電話機MS2は、基地局装置BS1が形成するマクロセルMC1内に居ることを検出し、マクロセルMC1のセルIDに対応付けられたフェムトセルサーチトリガ情報を参照し、この情報に、フェムトセルFC1が設定され（ステップ４ａでYes）、そして、隣接セルIDが設定される（ステップ４ｃでYes）ことを検出する。
【００５４】
そして、過去に、フェムトセルFC1から離脱した際に測定したRSSI情報に基づくRSSI判定値を取得し（ステップ４ｇ）、このRSSI判定値を境に、現在のRSSIの測定結果が変動することを検出する（ステップ４ｈ、４ｉ）。これにより、携帯電話機MS2は、基地局装置BS1を中心に、基地局装置BS1とアクセスポイントAP1との距離を半径とする同心円上に居ることが確認されたことになり、再びフェムトセルFC2内に居る可能性が高い。
【００５５】
さらに、隣接セルIDが設定されることから、上記フェムトセルサーチトリガ情報に含まれる隣接セルIDのマクロセルMC2から、上記隣接セルIDが受信できるか試み、隣接セルIDが受信できた（ステップ４ｊでYes）ことで、再びフェムトセルFC2内に居る可能性がより高いことが判明する。
【００５６】
一方、携帯電話機MS0は、携帯電話機MS2と比較して、基地局装置BS1との相対距離が同程度であることより、基地局装置BS1を中心に、基地局装置BS1とアクセスポイントAP1との距離を半径とする同心円上に居ることが確認されたことになり、再びフェムトセルFC2内に居る可能性が高い。
【００５７】
しかし、隣接セルIDが設定されることから、上記フェムトセルサーチトリガ情報に含まれる隣接セルIDのマクロセルMC2から、上記隣接セルIDが受信できるか試みるが、隣接セルIDが受信できない（ステップ４ｊでNo）ため、フェムトセルFC2内に居る可能性が低いことが判明する。
【００５８】
ステップ４ｋにおいてフェムトセルサーチ制御部１０４は、データ通信の状態を監視し、データ通信が開始されているか否かを判定する。ここで、データ通信が開始されている場合には、ステップ４ｍに移行し、一方、データ通信が開始されていない場合には、ステップ４ｌに移行する。なお、データ通信が開始されているか否かは、Ｗｅｂブラウザやメールウェアなどの通信系のアプリケーションソフトウェアが実行されているか否か（ユーザから、実行の要求があったか否か）で判断するようにしてもよい。
【００５９】
ステップ４ｌにおいてフェムトセルサーチ制御部１０４は、ステップ４ｋによるデータ通信の監視を開始してから、予め設定した時間が経過したか否かを判定する。ここで、予め設定した時間が経過した場合には、再確認のために、ステップ４ｃに移行し、一方、経過していない場合には、ステップ４ｋに移行して、監視を継続する。
【００６０】
ステップ４ｍにおいてフェムトセルサーチ制御部１０４は、ステップ４ａで読み出したフェムトセルサーチトリガ情報に含まれるフェムトセルID、中心周波数情報および同期タイミング情報に基づいて、無線通信部１０の各部を制御し、フェムトセル（フェムトHGW）の探索を開始し、アクセスポイントAPから送信されるリファレンス信号の受信を行い、ステップ４ｎに移行する。
【００６１】
ステップ４ｎにおいてフェムトセルサーチ制御部１０４は、上記フェムトセルIDに対応するアクセスポイントAPからリファレンス信号が受信できた場合には、ステップ４ｐに移行し、一方、上記アクセスポイントAPからリファレンス信号が受信できない場合には、ステップ４ｏに移行する。
【００６２】
ステップ４ｏにおいてフェムトセルサーチ制御部１０４は、ステップ４ｍによるフェムトセル探索を開始してから、予め設定した時間が経過したか否かを判定する。ここで、予め設定した時間が経過した場合には、ステップ４ａに移行し、一方、経過していない場合には、ステップ４ｎに移行して、探索を継続する。
【００６３】
ステップ４ｐにおいてフェムトセルサーチ制御部１０４は、リセレクション・ハンドオーバ制御部１０６に対して、ステップ４ｎで受信したリファレンス信号を送信するアクセスポイントAPにリセレクションするように指示し、ステップ４ｑに移行する。上記指示を受けたリセレクション・ハンドオーバ制御部１０６は、無線通信部１０の各部を制御して、所定の通信プロトコルにしたがって、上記アクセスポイントAPとの間に通信リンクを確立する。
【００６４】
ステップ４ｑにおいてフェムトセルサーチ制御部１０４は、フェムトセルサーチトリガ情報記憶部５１に記憶されるフェムトセルサーチトリガ情報のうち、ステップ４ａで読み出したフェムトセルサーチトリガ情報を、ステップ４ｐでの通信リンク確立の際に得たフェムトセルID、中心周波数情報および同期タイミング情報で更新し、ステップ４ｒに移行する。
【００６５】
ステップ４ｒにおいてフェムトセルサーチ制御部１０４は、無線通信部１０の状態および受信データなどを監視して、ステップ４ｐで通信リンクを確立したアクセスポイントAPとの通信が行えなくなったか否かを判定する。ここで、通信が行えなくなったと判定した場合には、ステップ４ｓに移行し、一方、通信が可能な状態の場合には、再びステップ４ｒに移行して監視を継続する。
【００６６】
ステップ４ｓにおいてフェムトセルサーチ制御部１０４は、無線通信部１０の各部を制御して、ステップ４ａでセルIDを取得したマクロセルについて、受信電力レベルを測定するとともに、リセレクション・ハンドオーバ制御部１０６に対して、基地局装置BSにリセレクションするように指示し、ステップ４ｔに移行する。上記指示を受けたリセレクション・ハンドオーバ制御部１０６は、無線通信部１０の各部を制御して、RSSI測定部１５の測定結果などに基づいて、最も通信環境が良好な基地局装置BSを探索し、検出すると、この旨をフェムトセルサーチ制御部１０４に通知する。
【００６７】
ステップ４ｔにおいてフェムトセルサーチ制御部１０４は、リセレクション・ハンドオーバ制御部１０６に対して、ステップ４ｓで検出した基地局装置BSにリセレクションするように指示し、ステップ４ｕに移行する。上記指示を受けたリセレクション・ハンドオーバ制御部１０６は、無線通信部１０の各部を制御して、所定の通信プロトコルにしたがって、上記基地局装置BSとの間に通信リンクを確立し、この旨をフェムトセルサーチ制御部１０４に通知する。
【００６８】
ステップ４ｕにおいてフェムトセルサーチ制御部１０４は、ステップ４ａで読み出したフェムトセルサーチトリガ情報のうち、RSSI情報をステップ４ｓで測定した受信電力レベルで更新し、ステップ４ａに移行する。なお、ステップ４ｓでのマクロセル探索において、ステップ４ａでセルIDを取得したマクロセル以外に、他のマクロセルが検出された場合には、上記他のマクロセルのIDを隣接セルIDとして、ステップ４ａで読み出したフェムトセルサーチトリガ情報に追加記録する。
【００６９】
以上のように、上記構成の携帯電話機では、着信待ち受けを行っているマクロセルがフェムトセルに対応付けられたものであって、かつ、そのマクロセルの受信電力レベルが、以前のフェムトセル通信の際に測定したマクロセルの受信電力レベルと類似する場合に、フェムトセル探索を開始するようにしている。
【００７０】
したがって、上記構成の携帯電話機によれば、マクロセルの受信電力レベルに基づいて、フェムトセルのカバーエリア内に居る可能性が高いと判断される場合だけ、フェムトセル探索を開始するので、効率的にフェムトセルを検出することができる。
【００７１】
また上記構成の携帯電話機では、複数のマクロセルからの信号が受信可能な状況で利用されるフェムトセルの情報を記憶して置き、この情報に基づいて、複数のマクロセルからの信号が受信可能になった場合に、フェムトセル探索を開始するようにしている。
【００７２】
したがって、上記構成の携帯電話機によれば、複数のマクロセルの受信状況に基づいて、フェムトセルのカバーエリア内に居る可能性が高い場合だけ、フェムトセル探索を開始するので、効率的にフェムトセルを検出することができる。
【００７３】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７４】
その一例として例えば、上記実施の形態では、予め設定した複数の基地局装置から無線信号が受信できる場合に、フェムトセル探索を開始するようにしたが、これに代わって例えば、予め設定した複数の基地局装置にそれぞれ設定した閾値を横断して各基地局装置の受信電力レベルが変化する場合（もしくは、閾値を基準とする所定の範囲内で各基地局装置の受信電力レベルが変化する場合）に、フェムトセル探索を開始するようにしてもよい。なお、設定する閾値は、フェムトセルを通じた通信を行った際に、各基地局装置から受信した無線信号の受信電力レベルに基づいて決定する。
【００７５】
これによれば、フェムトセルが複数のマクロセルに重なる状況において、各マクロセルの受信電力レベルに基づく三角測量の原理によって、フェムトセルのカバーエリア内に居る可能性を判定でき、可能性が高い場合だけ、フェムトセル探索を開始することで、効率的にフェムトセルを検出することができる。
【００７６】
なお、上記実施の形態では、マクロセルおよびフェムトセルで使用される周波数や同期タイミングについて詳細な説明は行っていないが、マクロセルとフェムトセルの間で使用される周波数や同期タイミングが異なってもよい。  
その他、この発明の要旨を逸脱しない範囲で種々の変形を施しても同様に実施可能であることはいうまでもない。
【符号の説明】
【００７７】
１０…無線通信部、１１…無線部、１２…復調部、１３…レート変換部、１４…復号部、１５…RSSI測定部、２０…表示部、３０…通話部、３１…スピーカ、３２…マイクロホン、４０…操作部、５０…記憶部、５１…フェムトセルサーチトリガ情報記憶部、１００…主制御部、１０１…誤り訂正処理部、１０２…受信データ処理部、１０３…セルID検出部、１０４…フェムトセルサーチ制御部、１０５…データ通信検知部、１０６…リセレクション・ハンドオーバ制御部、AP，AP1〜AP2…アクセスポイント、BS，BS1〜BS2…基地局装置、FC1〜FC2…フェムトセル、MC1…マクロセル、MC2…マクロセル、MNW…移動通信網、MS0…携帯電話機、MS1…携帯電話機、MS2…携帯電話機、PNW…公衆網、TD1〜TDn…フェムトセルサーチトリガ情報。
【図１】
0005541019.tif 000002
【図２】
0005541019.tif 000003
【図３】
0005541019.tif 000004
【図４】
0005541019.tif 000005
【図５】
0005541019.tif 000006